(57)【要約】【課題】互いに色の異なる光を発生する複数の光源に一定電流を駆動電流として供給して原稿の画像を読み取る画像読取装置において、横細線の読取不良やモアレの発生を抑制すること。【解決手段】（ａ）に示すように、１ライン周期の初期に赤色（Ｒ），緑色（Ｇ），青色（Ｂ）の光源を順次連続して点灯させると、いずれの光源も点灯しない非点灯期間（非発光時間の一例）が連続する。すると、この非点灯期間がモアレ等の原因となる場合がある。そこで、（ｂ）に示すように、その非点灯期間を均等に分割して、各色の点灯期間の間に分散するように、１ライン周期における各色の点灯期間を設定する。【選択図】図１１
2011217049.tif 000002
【特許請求の範囲】
【請求項１】
互いに色の異なる光を発光する複数の光源と、前記各光源が発光する光を原稿に向けて照射する照射部と、主走査方向に沿ってライン状に配列され、前記原稿からの反射光を受光した光量に応じた読取信号を出力する受光部と、を有し、前記照射部で照射された前記原稿上の画像に対して相対移動しながら前記原稿を読み取る読取ユニットと、
前記各光源に一定電流を前記各光源の駆動電流として供給する駆動電流供給部と、
前記駆動電流供給部が供給する駆動電流の下で、前記原稿を読み取るのに必要な光量となる一定の読取期間内での前記各光源の発光時間と、前記いずれの光源も光を発光しない前記読取期間内の非発光時間と、を決定する発光時間決定部と、
前記非発光時間が前記読取期間内の複数の期間に分散するように、前記各発光時間を前記読取期間内に分配し、前記読取期間内における前記光源が光を発光する発光タイミングを個々に設定する発光タイミング設定部と、
前記発光タイミング設定部で設定された各発光タイミングに基づいて、前記各光源を前記各発光時間、発光するように制御する発光制御部と、
を備えたことを特徴とする画像読取装置。
【請求項２】
前記発光タイミング設定部は、前記各光源の発光時間をそれぞれ複数の時間に分割し、当該分割後の各発光時間と前記分散された非発光時間とが交互に配設されるように、前記各発光タイミングを設定することを特徴とする請求項１記載の画像読取装置。
【請求項３】
前記発光タイミング設定部は、前記非発光時間が前記複数のタイミングに均等分割されて分散するように、前記各発光タイミングを設定することを特徴とする請求項１または２記載の画像読取装置。
【請求項４】
前記読取ユニットは、前記読取期間の間に、全ての前記各光源を発光させてその間に前記受光部が累積して受光した光の光量に応じた読取信号を出力し、
前記発光タイミング設定部は、前記読取期間内で前記各光源の各発光時間が重ならず、前記非発光時間が前記読取期間内の複数の期間に分散するように各発光タイミングを個々に設定することを特徴とする請求項１〜３のいずれかに記載の画像読取装置。
【請求項５】
前記読取ユニットは、前記各光源を所定の期間毎に順次発光させ、前記受光部が前記各所定の期間毎に累積して受光した光の光量に応じた読取信号を出力し、
前記読取期間は、前記所定の期間に対して前記光源の数を掛けた時間に相当し、
前記発光時間決定部は、前記各光源毎に、前記発光時間と前記非発光時間とをそれぞれ複数の時間に分割し、前記所定の期間内に当該分割後の発光時間と非発光時間とが交互に配設されるように前記各発光タイミングを設定することを特徴とする請求項２記載の画像読取装置。
【発明の詳細な説明】
【技術分野】
【０００１】
本発明は、原稿の画像を読み取る画像読取装置に関し、詳しくは、互いに色の異なる光を発光する複数の光源に一定の駆動電流を供給して原稿の画像を読み取る画像読取装置に関する。
【背景技術】
【０００２】
従来より、この種の画像読取装置として、互いに色の異なる光を発光する複数の光源と、前記各光源が発光する光を原稿に向けて照射する照射部と、主走査方向に沿ってライン状に配列され、前記原稿からの反射光を受光した光量に応じた読取信号を出力する受光部と、を有し、前記照射部で照射された前記原稿上の画像に対して相対移動しながら前記原稿を読み取る読取ユニットを備えたものが提案されている。
【０００３】
このように構成された画像読取装置では、例えばＲ（赤），Ｇ（緑），Ｂ（青）の光をそれぞれ発光する３つの前記光源のいずれかから光を発光し、受光部が受光した光量を調べることで、その原稿の主走査方向における当該色の分布を検知することができる。そして、そのような処理を各色毎に実行しながら、前記光源，照射部，受光部を備えた読取ユニットが前記原稿上の画像に対して相対移動することで、画像読取装置は、前記原稿全体の画像をカラー画像として読み取ることができる。また、前記原稿の画像をモノクロ画像として読み取る場合は、全ての前記光源に順次光を発光させ、各色の光に対する前記受光部の受光量の総和を検知する画像読取装置が提案されている（例えば、特許文献１参照）。
【０００４】
更に、前記各光源に一定電流を駆動電流として供給する回路構成を採用すれば、駆動電流の調整機構を１つ設けるだけでよく、画像読取装置の構成を簡略化することができる。ところが、その場合、前記光源が発光する光の光量が色毎に異なるため、一定の読取期間内に前記光源が光を発光させる発光時間が、光源毎に個々に設定される必要がある。このようにして前記発光時間が前記各光源毎に設定されると、全ての光源が前記読取期間の全期間に亘って光を発光させることはできなくなり、いずれの光源も光を発光しない非発光時間が前記読取期間に含まれる可能性が生じる。そこで、前記原稿の画像をカラー画像として読み取る場合に、各光源に光を発光させる発光タイミングを隣接させて、色ずれを抑制する画像読取装置が提案されている（例えば、特許文献２参照）。
【先行技術文献】
【特許文献】
【０００５】
【特許文献１】特開平１０-５６５７７号公報
【特許文献２】特開２０００-１３５６４号公報
【発明の概要】
【発明が解決しようとする課題】
【０００６】
ところが、前記特許文献２の画像読取装置は、いずれの光源も光を発光しない非発光時間が前記読取期間に含まれると、その非発光時間に前記受光部と対向した原稿画像は読み取ることができない。そのため、その画像読取装置が原稿の横細線を読み取れなかったり、その画像読取装置が読み取った原稿画像に干渉縞（モアレ）が発生する。そこで、本発明は、互いに色の異なる光を発生する複数の光源に一定電流を駆動電流として供給して原稿の画像を読み取る画像読取装置において、横細線の読取不良やモアレの発生を抑制することを目的としてなされた。
【課題を解決するための手段】
【０００７】
前記目的を達するためになされた本発明の画像読取装置は、互いに色の異なる光を発光する複数の光源と、前記各光源が発光する光を原稿に向けて照射する照射部と、主走査方向に沿ってライン状に配列され、前記原稿からの反射光を受光した光量に応じた読取信号を出力する受光部と、を有し、前記照射部で照射された前記原稿上の画像に対して相対移動しながら前記原稿を読み取る読取ユニットと、前記各光源に一定電流を前記各光源の駆動電流として供給する駆動電流供給部と、前記駆動電流供給部が供給する駆動電流の下で、前記原稿を読み取るのに必要な光量となる一定の読取期間内での前記各光源の発光時間と、前記いずれの光源も光を発光しない前記読取期間内の非発光時間と、を決定する発光時間決定部と、前記非発光時間が前記読取期間内の複数の期間に分散するように、前記各発光時間を前記読取期間内に分配し、前記読取期間内における前記光源が光を発光する発光タイミングを個々に設定する発光タイミング設定部と、前記発光タイミング設定部で設定された各発光タイミングに基づいて、前記各光源を前記各発光時間、発光するように制御する発光制御部と、を備えたことを特徴としている。
【０００８】
このように構成された本発明の画像読取装置では、発光時間決定部は、駆動電流供給部が駆動電流として供給する一定電流の下で、前記原稿を読み取るのに必要な光量となる一定の読取期間内での各光源の発光時間と、いずれの光源も光を発光しない前記読取期間内の非発光時間とを決定する。すると、発光タイミング設定部は、前記非発光時間が前記読取期間内の複数の期間に分散するように、前記各発光時間を前記読取期間内に分配し、前記読取期間内における前記光源が光を発光する発光タイミングを個々に設定する。このため、本発明の画像読取装置では、非発光時間が長い期間に亘って連続するのを抑制することができ、延いては、横細線の読取不良やモアレの発生を抑制することができる。
【０００９】
なお、前記発光タイミング設定部は、前記各光源の発光時間をそれぞれ複数の期間に分割し、当該分割後の各発光時間と前記分散された非発光時間とが交互に配設されるように、前記各発光タイミングを設定してもよい。この場合、各色に対応する発光時間が複数に分割され、全体として前記光源の数よりも多くの期間に分割された各発光時間の間に前記非発光時間が配設される。このため、前記非発光時間を一層細かく分散させることができ、横細線の読取不良やモアレの発生を一層良好に抑制することができる。
【００１０】
また、前記発光タイミング設定部は、前記非発光時間が前記複数の期間に均等分割されて分散するように、前記各発光タイミングを設定してもよい。この場合、前記分散された非発光時間のそれぞれの長さが均等になるので、横細線の読取不良やモアレの発生を一層良好に抑制することができる。
【００１１】
また、前記読取ユニットは、前記読取期間の間に、全ての前記各光源を発光させてその間に前記受光部が累積して受光した光の光量に応じた読取信号を出力し、前記発光タイミング設定部は、前記読取期間内で前記各光源の各発光時間が重ならず、前記非発光時間が前記読取期間内の複数の期間に分散するように各発光タイミングを個々に設定してもよい。この場合、１つの読取期間内に全ての前記光源に順次光を発光させ、各色の光に対して受光部が累積して受光した光の光量に応じた読取信号が前記読取ユニットから出力されるので、前記原稿の画像をモノクロ画像として読み取ることができる。
【００１２】
また、前記読取ユニットは、前記各光源を所定の期間毎に順次発光させ、前記受光部が前記各所定の期間毎に累積して受光した光の光量に応じた読取信号を出力し、前記読取期間は、前記所定の期間に対して前記光源の数を掛けた時間に相当し、前記発光時間決定部は、前記各光源毎に、前記発光時間と前記非発光時間とをそれぞれ複数の時間に分割し、前記所定の期間内に当該分割後の発光時間と非発光時間とが交互に配設されるように前記各発光タイミングを設定してもよい。この場合、前記光源の数と同数の前記所定の期間に
対してそれぞれ異なる光源についてその受光量に応じた読取信号が出力されるので、前記原稿の画像をカラー画像として読み取ることができる。
【図面の簡単な説明】
【００１３】
【図１】本発明が適用された画像読取装置の構成を表す外観図である。
【図２】その画像読取装置における装置本体の上部構成を表す平面図である。
【図３】その画像読取装置の長手方向に沿う断面の構成を表す概略断面図である。
【図４】その画像読取装置の読取デバイスの構成を表す斜視図及び断面図である。
【図５】その読取デバイスのＬＥＤランプの構成を詳細に表す模式図である。
【図６】上記画像読取装置の制御系の構成を表すブロック図である。
【図７】その制御系におけるＬＥＤ回路とＬＥＤランプとの構成を表す回路図である。
【図８】上記制御系における読取処理を表すフローチャートである。
【図９】その読取処理における電流値決定処理を表すフローチャートである。
【図１０】その読取処理における点灯時間決定処理を表すフローチャートである。
【図１１】その読取処理における点灯期間調整処理の一例を表す説明図である。
【図１２】上記読取処理における点灯期間調整処理の他の例を表す説明図である。
【図１３】上記読取処理における点灯期間調整処理の他の例を表す説明図である。
【図１４】上記読取処理における点灯期間調整処理の他の例を表す説明図である。
【図１５】上記読取処理における点灯期間調整処理の他の例を表す説明図である。
【発明を実施するための形態】
【００１４】
（画像読取装置の全体構成）
以下に本発明の実施の形態について、図面と共に説明する。なお、図１は、本発明が適用された画像読取装置１の構成を表す外観図であり、図２は、その画像読取装置１における装置本体３の上部構成を表す平面図である。
【００１５】
本実施の形態の画像読取装置１は、いわゆるフラットベッド型のスキャナ装置として構成されており、第１の読取面１１と第２の読取面１２とを上部に備える装置本体３と、装置本体３の上方に開閉可能に設けられた本体カバー５とからなる。
【００１６】
装置本体３の上面は、図１（ａ）に示すように、本体カバー５が閉じられた状態で、本体カバー５により被覆される。なお、図１（ａ）は、本体カバー５が閉じられた状態での画像読取装置１の構成を表す外観図であり、図１（ｂ）は、本体カバー５が開かれた状態での画像読取装置１の構成を表す外観図である。図１（ａ），（ｂ）に示すように、本体カバー５は左右方向（図１における左右方向）の軸を中心に開閉可能に設けられている。
【００１７】
また、図１に示すように、装置本体３は、その前方に各種スイッチを備える操作部１５を備えており、使用者が操作部１５を操作することにより、操作部１５から入力される指令に応じた処理を実行する。更に、図２に示すように、第１の読取面１１の、本体カバー５の蝶番に近い側の端縁１１ａ（後述の枠体部３１との境界）、及び、第２の読取面１２に近い側の端縁１１ｂ（後述の位置決め材１７との境界）は、それぞれ、原稿Ｐ（図３参照）を載置する際にその載置位置の基準となる原稿基準位置を構成している。
【００１８】
図３は、画像読取装置１の長手方向に沿う断面の構成を表す概略断面図である。図３に示すように、本実施の形態の画像読取装置１を構成する装置本体３は、上記第１の読取面１１と第２の読取面１２とを構成するプラテンガラス１３と、そのプラテンガラス１３を支持する筐体２０と、第１の読取面１１に載置される原稿Ｐの位置決めを行うための位置決め材１７と、白基準板１９と、読取ユニットの一例としての読取デバイス２１と、読取デバイス２１を後述のように移動させるモータ２３及びベルト機構部２５と、を備えている。
【００１９】
また、図２に示すように、プラテンガラス１３の後端部（図２における上側）及び右端部（図２における右側）は、筐体２０の上端縁から筐体２０の底面に概略平行にその中央に向けて延設された枠体部３１により上方から下方に押し付けられ、筐体２０に固定されている。また、プラテンガラス１３の前方左端部は、枠体部３１の前方左端部の縁から延設されたガラス固定部３３により、上方から下方に押し付けられ、筐体２０より剥離しないように固定されている。
【００２０】
なお、プラテンガラス１３の表面は、筐体２０に対して着脱自在に設けられた位置決め材１７によって、第１の読取面１１と第２の読取面１２とに分割されている。第１の読取面１１は、使用者によって表面に載置された原稿Ｐを読み取るための領域であり、当該画像読取装置１の右側領域に設けられている。一方、第２の読取面１２は、本体カバー５に設けられた原稿搬送装置４０により搬送されてきた原稿Ｐを読み取るための領域であり、当該画像読取装置１の左側領域に設けられている。
【００２１】
また、読取デバイス２１は、筐体２０内部の第１及び第２の読取面１１，１２の裏面（すなわちプラテンガラス１３の裏面）において、左右方向（副走査方向）に移動可能に収容されている。この読取デバイス２１は、ベルト機構部２５が備える一対のローラ２５ａに巻回されたベルト２５ｂに固定されており、モータ２３が発生する動力により回転するベルト２５ｂと共に、画像読取装置１の左右方向に移動する。
【００２２】
なお、図３（ａ）は、本体カバー５に設けられた原稿搬送装置４０を用いて、読取対象の原稿Ｐを第２の読取面１２上に搬送しながら、その原稿Ｐを読み取る際の読取デバイス２１の固定位置を表した説明図であり、図３（ｂ）は、第１の読取面１１上に載置された原稿Ｐを読み取る際の読取デバイス２１の走査態様を示した説明図である。
【００２３】
本体カバー５に設けられた原稿搬送装置４０の動作によって、第２の読取面１２上に搬送されてきた原稿Ｐを読み取る際、読取デバイス２１は、第２の読取面１２下に移動されて、固定される。また、第１の読取面１１上の原稿Ｐを読み取る際、読取デバイス２１は、モータ２３及びベルト機構部２５の動作により、第１の読取面１１の裏面側を左右方向に移動される。
【００２４】
本体カバー５は、前述のように原稿搬送装置４０を具備しており、次のように、給紙トレイ４１に載置された原稿Ｐを、第２の読取面１２上に搬送し、その第２の読取面１２上で読取デバイス２１により読み取られた原稿Ｐを排紙トレイ４２に排出する。
【００２５】
原稿搬送装置４０は、搬送路の始点に、給紙ローラ４４，４５を備えており、給紙トレイ４１に載置された原稿Ｐはこの給紙ローラ４４，４５によって、搬送路下流に搬送される。給紙ローラ４４，４５により搬送されてきた原稿Ｐは、搬送ローラ４７，４８により更に搬送路下流に搬送される。
【００２６】
搬送ローラ４７，４８よる搬送路下流側には、第２の読取面１２と所定の空隙を有した状態で、その第２の読取面１２に対向する上板４９が設けられている。搬送ローラ４７，４８より搬送されてきた原稿Ｐは、この上板４９と第２の読取面１２との間を通過して、それより更に搬送路下流に設けられた一対の搬送ローラ５１，５２によって搬送され、続いて、一対の排紙ローラ５３，５４によって、排紙トレイ４２に排紙される。
【００２７】
次に、図４（ａ）は、読取デバイス２１の構成を更に詳細に表す要部斜視図であり、図４（ｂ）は、その読取デバイス２１の、画像読取装置１の長手方向に沿う断面の構成を表す断面図である。図４（ａ），（ｂ）に示すように、読取デバイス２１は、レンズ２８と
、基板２６と、レンズ２８によって集光された光を検出するために基板２６上に形成された受光素子２９（受光部の一例）と、レンズ２８に沿って配設された円柱体状の導光部材２７（照射部の一例）と、導光部材２７の片側の端面１２７の近傍に配置されたＬＥＤランプ３０とから構成されている。なお、以下の説明において、導光部材２７とＬＥＤランプ３０とを第１光源ユニット５５と総称する場合がある。
【００２８】
導光部材２７は、ＬＥＤランプ３０から発光されてその導光部材２７の内部を伝播する光を、反射及び散乱させて原稿Ｐに向けてライン状に照射する。そして、レンズ２８と受光素子２９とは、プラテンガラス１３の前後方向の長さと同程度の長さに亘って主走査方向に沿って１列に配置されている。このため、受光素子２９は、図４（ｂ）に示すように、導光部材２７からの入射光が原稿Ｐに照射されて、原稿Ｐに反射された反射光を検出する。
【００２９】
図５は、ＬＥＤランプ３０の構成を詳細に表す模式図である。図５に示すように、ＬＥＤランプ３０は、それぞれの発光波長の異なる赤色（Ｒ）、緑色（Ｇ）、青色（Ｂ）の光を発光するＬＥＤチップ１３１Ｒ，１３１Ｇ，１３１Ｂ（それぞれ光源の一例に相当）を金属製のリードの上にボンディングし、その部分を透明な樹脂でレンズ状に封止されて形成されている。
【００３０】
（画像読取装置の制御系の構成）
図６は、画像読取装置１の制御系の構成を表すブロック図である。画像読取装置１は、ＣＰＵ１００（発光時間決定部，発光タイミング設定部，発光制御部の一例）と、ＲＯＭ１０１と、ＲＡＭ１０２と、ＮＶＲＡＭ（不揮発性メモリ）１０３と、波形生成部１０４と、ＰＷＭ信号生成部１０５と、画像処理部１０６と、発光タイミング信号生成部１０７と、モータ駆動部１０８とを備え、これらはバス５７によって接続されている。また、前述の読取デバイス２１の受光素子２９はＡＤ変換器１０９を介して画像処理部１０６に接続され、ＰＷＭ信号生成部１０５，発光タイミング信号生成部１０７はＬＥＤ回路１１３を介して読取デバイス２１の第１光源ユニット５５に接続されている。
【００３１】
波形生成部１０４は、基準クロックＣＬＫと、その基準クロックに基づく１ライン周期（所定の期間の一例）のラインスタートパルス信号ＳＰを読取デバイス２１に与えるものである。なお、図示省略したが、基準クロックＣＬＫは、モータ２３を駆動するモータ駆動部１０８にも入力されており、読取デバイス２１の移動の基準となっている。更に、ＰＷＭ信号生成部１０５は、第１光源ユニット５５の駆動電流値をＰＷＭ（Pulse Width Modulation）信号をとして生成し、ＬＥＤ回路１１３に入力する。
【００３２】
図７は、ＬＥＤ回路１１３とＬＥＤランプ３０との構成を詳細に表す回路図である。図７に示すように、ＬＥＤ回路１１３は、ＰＷＭ信号生成部１０５から入力されたＰＷＭ信号に応じた一定電流を駆動電流として通電可能な電流調整回路１１０（駆動電流供給部の一例）と、発光タイミング信号生成部１０７から個々にベースに入力されたタイミング信号に応じてＯＮ／ＯＦＦが切り換る３つのトランジスタ２３１Ｒ，２３１Ｇ，２３１Ｂとを備えている。トランジスタ２３１Ｒは前述したＬＥＤチップ１３１Ｒのカソードにコレクタが接続され、トランジスタ２３１ＧはＬＥＤチップ１３１Ｇのカソードにコレクタが接続され、トランジスタ２３１ＢはＬＥＤチップ１３１Ｂのカソードにコレクタが接続されている。
【００３３】
電流調整回路１１０は、＋１２Ｖの電源及びグラウンドＧＮＤに接続され、ＬＥＤチップ１３１Ｒ，１３１Ｇ，１３１Ｂのアノードに上記駆動電流を通電する。また、トランジスタ２３１Ｒ、２３１Ｇ、２３１Ｂのエミッタはグラウンドに接続されている。このため、トランジスタ２３１Ｒがオンとなると、電流調整回路１１０からの上記駆動電流がＬＥ
Ｄチップ１３１Ｒに通電され、ＬＥＤチップ１３１Ｒが発光する。ＬＥＤチップ１３１Ｇ、１３１Ｂも同様である。
【００３４】
図６に戻って、画像処理部１０６は、受光素子２９からのアナログの読取信号をＡＤ変換器１０９によってデジタル信号に変換したものが色毎（Ｒ、Ｇ、Ｂ）に分解された情報であるため、３色まとめてカラーの主走査１ライン分の情報となるように処理する。また、モータ駆動部１０８は、基準クロックＣＬＫに基づいて、モータ２３を駆動することによって読取デバイス２１を副走査方向に動かすことができる。
【００３５】
（制御系における処理）
次に、上記制御系において、ＣＰＵ１００がＲＯＭ１０１に記憶されたプログラムに基づいて実行する処理を説明する。図８は、原稿画像の読取が指示された際にＣＰＵ１００が実行する読取処理を表すフローチャートである。図８に示すように、この処理では、先ず、Ｓ１（Ｓはステップを表す：以下同様）にて、モータ駆動部１０８を介してモータ２３が駆動されることにより、読取デバイス２１が白基準板１９との対向位置に移動される。続くＳ２では、次のような第１光源ユニット５５の電流値決定処理が実行される。
【００３６】
図９は、その電流値決定処理を赤色（Ｒ）について表すフローチャートである。なお、Ｓ２では、このような電流値決定処理が、緑色（Ｇ），青色（Ｂ）についても同様に実行される。図９に示すように、この処理では、先ず、Ｓ１０１にて、ＬＥＤチップ１３１Ｒの点灯時間及びその駆動電流の電流値が初期設定される。なお、点灯時間の初期値は、例えば上記１ライン周期（カラー読取，モノクロ読取等のモードに応じて所定時間に設定される）とされ、電流値の初期値は、例えば、電流調整回路１１０がＬＥＤチップ１３１Ｒに通電可能な最小値とされる。
【００３７】
続くＳ１０２では、発光タイミング信号生成部１０７を介してトランジスタ２３１ＲがオンされることによりＬＥＤチップ１３１Ｒ（光源ＲＥＤ）が点灯（発光）され、続くＳ１０３にて、受光素子２９による受光量が予め設定された既定値に達したか否かが判断される。なお、この既定値は、ＡＤ変換器１０９の最大出力値である既定値（２５５）が設定されている。
【００３８】
最初にＳ１０３へ移行したときは、Ｓ１０２にて電流値が最小値に設定されているので、受光量は既定値に達しておらず、ここでは否定判断されて（Ｓ１０３：Ｎ）、処理は１０４へ移行する。Ｓ１０４では、上記ＰＷＭ信号が調整されることにより電流調整回路１１０を介して通電される電流値が一定量上げられて、処理は再びＳ１０３へ移行する。こうして、Ｓ１０３，Ｓ１０４の処理が繰り返し実行される間に、上記受光量が既定値に達すると（Ｓ１０３：Ｙ）、Ｓ１０５にてそのときの電流値がＬＥＤチップ１３１Ｒの電流値として決定され、当該電流値決定処理が終了する。
【００３９】
図８へ戻って、Ｓ２では、このような電流値決定処理が緑色（Ｇ），青色（Ｂ）についても同様に実行され、決定された各色に対する電流値の最大値が、電流調整回路１１０によって通電される上記一定電流の駆動電流とされる。続くＳ３では、次のような発光時間決定部の一例としての第１光源ユニット５５の点灯時間決定処理が実行される。
【００４０】
図１０は、その点灯時間決定処理を赤色（Ｒ）について表すフローチャートである。なお、Ｓ３では、このような点灯時間決定処理が、緑色（Ｇ），青色（Ｂ）についても同様に実行される。図１０に示すように、この処理では、先ず、Ｓ１０６にて、ＬＥＤチップ１３１Ｒが１ライン周期点灯される。続くＳ１０７では、その間の受光量が上記既定値を下回ったか否かが判断される。１ライン周期の間の受光量が既定値を下回っていない場合は（Ｓ１０７：Ｎ）、Ｓ１０８にて１ライン周期におけるＬＥＤチップ１３１Ｒの点灯時
間が一定時間短くされ、処理は再びＳ１０７へ移行する。こうして、Ｓ１０７，Ｓ１０８の処理が繰り返し実行される間に、１ライン周期の間の受光量が既定値を下回ると（Ｓ１０７：Ｙ）、そのときの点灯時間がＬＥＤチップ１３１Ｒの点灯時間（発光時間の一例）として決定され、当該点灯時間決定処理が終了する。
【００４１】
図８へ戻って、Ｓ３では、このような点灯時間決定処理が緑色（Ｇ），青色（Ｂ）についても同様に実行され、決定された点灯時間は各色毎に対応付けてＲＡＭ１０２に記憶される。なお、本処理では、Ｓ２にて決定された電流値が最大であった色についても、必ずしも点灯時間が１ライン周期と一致することはない。そして、続くＳ４では、次のような発光タイミング設定部の一例としての点灯期間調整処理が実行される。
【００４２】
図１１は、モノクロ読取において、１ライン周期の間に全てのＬＥＤチップ１３１Ｒ，１３１Ｇ，１３１Ｂを順次点灯させて、各色に対する総合的な反射光量をモノクロ画像として読み取る場合の点灯期間調整処理の一例を表す説明図である。なお、モノクロ読取の場合は、ラインスタートパルス信号ＳＰから次のラインスタートパルス信号ＳＰまでの１ライン周期が、主走査１ライン分、すなわち１読取期間にも相当する。
【００４３】
図１１（ａ）に例示するように、１ライン周期の初期にＬＥＤチップ１３１Ｒ，１３１Ｇ，１３１Ｂを順次連続してかつ各点灯期間が重ならないように点灯させても、いずれのＬＥＤチップ１３１Ｒ，１３１Ｇ，１３１Ｂも点灯しない非点灯期間（非発光時間の一例）が１ライン周期の末期に連続する場合がある。すると、この非点灯期間がモアレ等の原因となることがある。そこで、Ｓ４では、図１１（ｂ）に例示するように、その非点灯期間を均等に分割（例えば３分割）して、各色の点灯期間（発光タイミングの一例）の間に分散するように、１ライン周期における各色の点灯期間を設定するのである。このため、本実施の形態では、非点灯期間を分散させてモアレの発生等を抑制することができる。なお、図１１において、各色の点灯期間はハッチングにより示し、非点灯期間は中間色のベタ塗りにより示している。
【００４４】
図８へ戻って、続くＳ５では、シェーディング補正等の周知の補正のための補正データが算出され、続くＳ６では、モータ駆動部１０８を介してモータ２３が駆動されることにより、読取デバイス２１が読取開始位置（例えば第２の読取面１２の下）に移動される。続く発光制御部の一例としてのＳ７では、原稿搬送装置４０によって原稿Ｐを一定速度で搬送するかモータ２３によって読取デバイス２１を副走査方向に移動させながら、Ｓ４で調整された点灯期間に各色のＬＥＤチップ１３１Ｒ，１３１Ｇ，１３１Ｂを点灯させることにより、原稿Ｐを読み取る処理が実行される。更に続くＳ８では、読取デバイス２１が移動された場合にはその読取デバイス２１が元の位置に戻され、処理が終了する。
【００４５】
（本実施の形態の効果及びその変形例）
このように、本実施の形態の画像読取装置１では、非点灯期間を各色の点灯期間の間に分散させているので、横細線の読取不良やモアレの発生を良好に抑制することができる。しかも、本実施の形態では、非点灯期間を均等に分割して１ライン周期に分散させているので、横細線の読取不良やモアレの発生を一層良好に抑制することができる。
【００４６】
なお、本発明は上記実施の形態に何等限定されるものではなく、本発明の要旨を逸脱しない範囲で種々の形態で実施することができる。例えば、非点灯期間は不均等に分割して分散させてもよい。また、非点灯期間は次のよう更に細かく分割して、更に細かく分散させてもよい。
【００４７】
図１２の例では、各色に対応する点灯期間もそれぞれ３分割し、非点灯期間も８分割し、赤色（Ｒ）の点灯期間，非点灯期間，緑色（Ｇ）の点灯期間，非点灯期間，青色（Ｂ）
の点灯期間，非点灯期間，赤色（Ｒ）の点灯期間，…といった具合に交互に配設している。この場合、非点灯期間が一層細かく分散されるので、横細線の読取不良やモアレの発生を一層良好に抑制することができる。
【００４８】
また、図１３はカラー読取の場合の点灯期間調整処理（Ｓ７）を表す説明図である。この場合、所定の期間の一例としての１ライン周期に対してＬＥＤチップ１３１Ｒ，１３１Ｇ，１３１Ｂの数（すなわち３）を掛けた時間に主走査１ライン分の時間（読取期間に相当）が設定され、各１ライン周期毎に異なる色のＬＥＤチップ１３１Ｒ，１３１Ｇ，１３１Ｂが点灯される。すると、ラインスタートパルス信号ＳＰは１ライン周期毎に読取デバイス２１に与えられ、それに応じて上記読取信号が出力されるので、各色の反射光に応じた読取信号がＡＤ変換器１０９を介して画像処理部１０６に順次入力される。
【００４９】
そして、この処理では、各色に対応する非点灯期間を２分割し（３以上に分割してもよい）、各色の点灯期間も２分割して（３以上に分割してもよい）、点灯期間，非点灯期間を交互に配設している。この場合も非点灯期間が分散されるので、横細線の読取不良やモアレの発生を抑制することができる。
【００５０】
また、モノクロ読取は、図１４に例示するように、例えば緑色（Ｇ）の光のみを利用して行うことが所望により選択できてもよい。この場合、前述のＳ２，Ｓ３の処理を緑色（Ｇ）の単色に対して行ったとしても、Ｓ２にて電流値を粗調整して微調整のためにＳ３にて点灯時間を決定する場合は非点灯時間ができる。そこで、この場合も、図１４に例示するように、非点灯期間を分散（図１４の例では３分割）させることにより横細線の読取不良やモアレの発生を抑制することができる。
【００５１】
更に、ＬＥＤチップ１３１Ｒ，１３１Ｇ，１３１Ｂの特性（若しくは特性の経年変化）により、Ｓ３にて決定される点灯時間が図１５（ａ）に例示するように長くなる場合がある。すなわち、この場合、Ｓ３にて各色の点灯時間が決定されると同時に実質的に決定される非点灯時間が０となる。そこで、その場合、点灯期間調整処理（Ｓ７）では、図１５（ｂ）に例示するように、どのＬＥＤチップ１３１Ｒ，１３１Ｇ，１３１Ｂも点灯しない非点灯期間が存在しないように各色の点灯期間を配設してもよい。この場合も、横細線の読取不良やモアレの発生を抑制することができる。
【００５２】
また更に、本発明は、モータ２３による読取デバイス２１の移動を行わないいわゆるＡＤＦ読取専用の画像読取装置や、ファクシリミ装置，複写機等に応用された画像読取装置など、種々の画像読取装置にも、同様に適用することができる。
【００５３】
本実施形態では、ＡＤ変換器１０９の最大出力値である既定値（２５５）を基準として、点灯期間が設定される。他の実施形態として、最大出力値以下のどの値を基準として、各光源の駆動電流と各光源の発光時間とが調整されてもよい。
【符号の説明】
【００５４】
１…画像読取装置        ２１…読取デバイス      ２３…モータ
２５…ベルト機構部      ２７…導光部材          ２８…レンズ
２９…受光素子          ３０…ＬＥＤランプ      ４０…原稿搬送装置
１００…ＣＰＵ          １０１…ＲＯＭ          １０２…ＲＡＭ
１０５…ＰＷＭ信号生成部        １０７…発光タイミング信号生成部
１０８…モータ駆動部            １１０…電流調整回路
１１３…ＬＥＤ回路              １３１Ｂ，１３１Ｇ，１３１Ｒ…ＬＥＤチップ
２３１Ｂ，２３１Ｇ，２３１Ｒ…トランジスタ                Ｐ…原稿
【図１】
2011217049.tif 000003
【図２】
2011217049.tif 000004
【図４】
2011217049.tif 000005
【図５】
2011217049.tif 000006
【図６】
2011217049.tif 000007
【図７】
2011217049.tif 000008
【図８】
2011217049.tif 000009
【図９】
2011217049.tif 000010
【図１０】
2011217049.tif 000011
【図３】
2011217049.tif 000012
【図１１】
2011217049.tif 000013
【図１２】
2011217049.tif 000014
【図１３】
2011217049.tif 000015
【図１４】
2011217049.tif 000016
【図１５】
2011217049.tif 000017